(57)【特許請求の範囲】
【請求項１】
光ビームを作り出す光源(1)と、
光ビーム(P)の経路中に本体(9)を位置決めするための位置決め装置(25,19,50)と、
前記光源(1)と本体(9)の位置の間に配置され、前記光ビーム(P)を分割(splitting)して該光ビーム(P)から部分的な光ビーム(A,B)を分岐させ、この部分的な光ビームは被測定表面(90,91)の１つに所定の角度で衝突して、該表面(90,91)で反射されるビームスプリッター装置(8)と、
前記光ビーム(P)と反射した部分的な光ビーム(A,B)の間に干渉パターンを作り出す検知装置(16)とからなる本体の２つの対向表面を測定する装置において、
前記位置決め装置(25,19,50)は、前記本体(9)をその被測定表面(90,91)が光ビーム(P)に対し実質的に平行な配置となるよう支持し、かつ測定装置に対し自由に接近し得る保持装置(50)を含み、また前記ビームスプリッター装置(8)は、第１表面(90)に衝突する第１の部分的な光ビーム(8)および第２表面(91)に衝突する第２の部分的な光ビーム(B)を同時に発生し得るよう設計されていることを特徴とする装置。
【請求項２】
前記保持装置(50)は、ビーム経路中に本体(9)を立設するための装置を含み、これにより被測定表面(90,91)は実質的に垂直な方向に整列させられることを特徴とする請求項１記載の装置。
【請求項３】
前記ビームスプリッター装置(8)は、ビーム経路中に配置した回折格子を含み、これにより第１表面(90)に衝突する第１の部分的な光ビーム(A)は正の回折角度を有する波を含み、また第２表面(91)に衝突する第２の部分的な光ビーム(B)は負の回折角度を有する波を含むことを特徴とする請求項１または２記載の装置。
【請求項４】
少なくとも１つの平坦表面(24)を含む参照体(21)を備える較正装置(20)が配設されることを特徴とする請求項１〜３の何れかに記載の装置。
【請求項５】
前記較正装置(20)は、測定されるべき本体(9)の代わりに、ビーム経路中に参照体(21)を位置決めする位置決め装置(23,18)を含み、これにより平坦表面(24)は垂直にされることを特徴とする請求項４記載の装置。
【請求項６】
前記位置決め装置(20)は、ビーム経路中に参照体(21)を位置決めするための走行体(23)を含むことを特徴とする請求項５記載の装置。
【請求項７】
前記較正装置(21)は、本体を平坦表面(24)に対し平行な軸の周りを１８０度だけ回転させる手段を含むことを特徴とする請求項４〜６の何れかに記載の装置。
【請求項８】
測定されるべき本体(9)を受容する受容装置(25)が配設され、該本体はその被測定表面(90,91)が実質的に水平方向に配置されるよう該受容装置に設置され、更に該本体をその測定位置に向けて傾斜させるための傾斜装置(26)が配設されていることを特徴とする請求項１〜７の何れかに記載の装置。
【請求項９】
前記検知装置(16)は２つの検知器(16)を含み、夫々の検知器は被測定表面(90,91)で偏向される部分的な光ビーム(A,B)と参照光ビーム(P)との干渉を測定することを特徴とする請求項１〜８の何れかに記載の装置。
【請求項１０】
前記検知器(16)は、ＣＣＤカメラとして形成されることを特徴とする請求項９記載の装置。
【請求項１１】
夫々の被測定表面(90,91)用の各検知器(16)により測定した干渉度を基礎として、デジタル化された位相パターン(160)を作り出す映像処理装置(30)によって特徴付けられる請求項９または１０記載の装置。
【請求項１２】
前記位相パターン(160)を評価するための評価装置(40)によって特徴付けられる請求項１１記載の装置。
【請求項１３】
光ビーム(P)の位相を所定量だけ変化させるための位相シフタ(17)により特徴付けられる請求項１〜１２の何れかに記載の装置。
【請求項１４】
前記本体(9)の位置と検知装置(16)の間のビーム経路中に配置したビームコレクタ(10)により特徴付けられる請求項１〜１３の何れかに記載の装置。
【請求項１５】
前記ビームコレクタ(10)は、回折格子として形成されることを特徴とする請求項１４記載の装置。
【請求項１６】
光源(1)を出た光ビームから平行な光ビーム(P)を作り出すための放物線状ミラー(7)を配設したことを特徴とする請求項１〜１５の何れかに記載の装置。
【請求項１７】
前記光源(1)は、レーザとして形成されることを特徴とする請求項１〜１６の何れかに記載の装置。
【請求項１８】
前記位相シフタ(17)は、前記ビームスプリッター(8)の回折格子を変位させる圧電付勢素子を含むことを特徴とする請求項１３〜１７の何れかに記載の装置。
【請求項１９】
測定されるべき本体(9)および参照体(21)のための位置決め装置(22,19,50)を制御する制御装置(60)により特徴付けられる請求項１〜１８の何れかに記載の装置。
【請求項２０】
夫々の表面(90,91)は、光源(1)から得られかつ該表面(90,91)で反射される光ビーム(A,B)と、前記光源(1)から得られかつ該表面(90,91)と実質的に平行に進む光ビーム(P)の間の干渉を使って測定される本体(9)の２つの対向表面(90,91)を測定する方法において、
単一の光源(1)が両方の表面(90,91)を測定するのに使用され、また前記本体(9)は光源(1)のビーム経路中に配置されて、双方の被測定表面(90,91)が同時に干渉測定装置に近接し得るようになっていることを特徴とする方法。
【請求項２１】
前記本体(9)はビーム経路中に配置され、被測定表面(90,91)が垂直方向に実質的に整列されることを特徴とする請求項２０記載の方法。
【請求項２２】
前記光源(1)からの光ビームは、ビームスプリッター(8)によって３つの部分的な光ビーム(A,B,P)に分割され、これによりその中の２つの部分的な光ビーム(A,B)は、夫々被測定表面(90,91)の１つに偏向されて該表面(90,91)で反射され、また第３の部分的な光ビーム(P)は、干渉測定用の参照ビームとして使用されることを特徴とする請求項２０または２１に記載の方法。
【請求項２３】
被測定表面に衝突する前記部分的な光ビーム(A,B)は格子において回折により作られ、これによって正の回折角度を有する部分的な光ビーム(A)は一方の表面(90)の測定に使用され、また負の回折角度を有する部分的な光ビーム(B)は他方の表面(91)の測定に使用され、更に零の回折角度を有する部分的な光ビームは参照ビーム(P)として使用されることを特徴とする請求項２２記載の方法。
【請求項２４】
種々の位相がシフトされた干渉パターン(160)は、夫々の被測定表面(90,91)から作り出されることを特徴とする請求項２０〜２３の何れかに記載の方法。
【請求項２５】
前記位相パターンは、デジタル化されていることを特徴とする請求項２４記載の方法。
【請求項２６】
測定に際し部分的な光ビーム(A,B,P)の位相は、位相シフタ(17)を使用して限定された位相角度だけシフトさせて、被測定表面(90,91)における突起または凹みを決定する移動位相パターンを作り出すことを特徴とする請求項２０〜２５の何れかに記載の方法。
【請求項２７】
両方の表面(90,91)の位相パターン(160)は、該表面(90,91)の平行度を決定するために互いに控除されることを特徴とする請求項２４〜２６の何れかに記載の方法。
【請求項２８】
較正測定が行なわれ、これにより少なくとも１つの平坦表面(24)を有する参照体(21)が測定位置中にもたらされ、そしてその平坦表面(24)が測定されることを特徴とする請求項２０〜２７の何れかに記載の方法。
【請求項２９】
前記参照体(21)は、平坦表面(24)に対し平行な軸の周りを１８０度だけ回転されて、同じ表面(24)が再び測定されることを特徴とする請求項２８記載の方法。
【請求項３０】
半導体ウェハー(9)の２つの平坦表面(90,91)が測定されることを特徴とする請求項２０〜２９の何れかに記載の方法。
【発明の詳細な説明】
この発明は、請求項１または請求項２０の各前段に係る本体の２つの対向表面を測定する装置および方法に関するものである。
ここ数年における半導体工業の技術的進歩は、経済上および工程上の技術的理由から、チップ製造用の基礎材料としての半導体ウェハーの直径を急激に増大させている。２００ミリメートルの直径を有するウェハーは既に在来の技術となっており、３００ミリメートルの直径を有するウェハーは近い将来に製造されるであろう。
現在のところ、前述したウェハーの製造業者および加工業者は、例えばウェハーの幾何学的特性(平面度、湾曲度、厚みの変差)の如き特有の品質的特徴を、所望の分析能および精度でチェックし得る測定装置を未だ有していない。
半導体ウェハーの幾何学的特性(geometry)を測定するための２つの測定法が知られている。１つの方法は、干渉計測器(interferometry)を使用する光学幾何学的測定法(optical geometry measurement)である。これによれば、ウェハーが平坦な板上に載置されたり、またはこの板に吸着されている間に、該ウェハーの一方の全表面が干渉的(interferometrically)に測定される。一方の表面を測定した後に該ウェハーは裏返され、そして他方の表面が測定される。この方法では、一度に片方の面だけが測定可能であるので、平行度(parallelism)および厚みの変差を示すウェハーの前面側および後面側の間の関係は直接には与えられない。吸着された表面は、絶対的に平坦な状態で引っ張られると推測されるが、実際にはこのようなケースはない。なぜならウェハーと支持体の間の粒子により妨げられ、またウェハーは殊にその表面が不均一な場合に、一様な態様で密着するか否かは一般に不確定だからである。更に、水平に載置された２００ミリメートルまたは３００ミリメートルの直径のウェハーは重力で曲げられ、従って該ウェハーは無負荷にはならなくなる。これが、絶対的に不均一な測定を不可能なものとしている。更には、支持体や、場合によっては光学測定系との表面接触に起因する損傷の危険が非常に高いので、殆どサンプル測定だけが認められている。多くの測定上の全般的な不確定性のために、測定精度は不充分である。また他の方法で得られた測定値は、直接に比較できないものである。
もう１つの方法は、距離センサを使用する表面の走査を含む容量幾何学的測定法(capacitive geometry measurement)である。点走査型距離センサ(複数)が、ウェハーの前面側および後面側を走査する。前記ウェハーは、その中央において支持され、かつ回転させられる。その測定は点で行われる(punctual)ので、２次元のデータを得るための走査が必要である。走査法における公知の欠点は、例えば全走査過程中における不安定な測定条件が、測定精度をかなり低下させることである。測定中にウェハーは中央部で支持されるので、重力がウェハーの形態に大きな影響を及ぼしてこれを屈曲させる。この影響は、不充分な近似値でしか計算的に考慮することができない。更に、容認し得る時間内に得られる測定点の数は非常に少ない。測定方法とセンサの直径とに起因する測定点の寸法は、新しい品質規定に合致するのに必要な程度まで減少させることができない。更に表面接触と、技術的理由によるウェハー表面に対するセンサの非常に小さい距離とのために、該ウェハーを損傷する危険が高い。一般にこのケースでも、測定における不確実性の累積のために、測定精度は非常に低い。また他の方法で得られた測定値は、直接に比較することができない。
本発明の目的は、殊に半導体ウェハーにおいて、本体の２つの対向する実質的に平坦でかつ平行な表面を測定する方法および装置であって、これによりその測定精度が増大し、損傷の危険が減少し、かつ測定時間を短縮し得る方法および装置を提供することにある。
この目的は、請求項１に係る測定装置および請求項２０に係る測定方法により夫々達成される。
本発明の更なる内容は、従属項中に限定されている。
これら測定装置および測定方法は、夫々以下の利点を有している。
前面側および後面側は、非接触、等時的かつ静的な方法(ウェハーは全く動かない)で絶対的に等価な条件の下で測定され、かつ単一のセンサが使用される。調整較正は全く必要とされない。測定中、ウェハーは直立位置で立っているので、外力の影響から解放されている。前記ウェハーの臨界表面は全く触れられることがなく、従って損傷の危険は低い。全ての必要とされる幾何学的データは、ただ１回の測定から得られる。１回の測定で済むために、測定時間はかなり短縮され、これにより処理能力と生産性が向上する。横方向並びに縦方向での測定精度および分解能(resolution)は、国際規格により要求されるところと同じ位に高いか、むしろ一層高い。更に本方法は、如何なる影響も受けない状態でウェハーを検知するものであり、従って測定基準を形成するものである。
本発明の更なる特徴および利点は、図面を参照してなされる実施例の記載から明らかになるであろう。
図面において、
図１は、測定装置の概要図である。
図２は、光線の過経路を示す測定装置の平面図である。
図３は、評価および操作ユニットのブロック図である。
図１および図２に示す如く、測定装置はレーザ１の形態をなす光源を含んでいる。このレーザ１から放射された光は、ビーム波案内部２を介して測定装置の限定位置に導かれる。該レーザ１により作られた光は、ビーム波案内部２の終端３に現われ、従って該終端３は点光源として作用する。現われた光は偏向ミラー４に衝突し、ここから該光は視準ミラー(collimation mirror)７に再指向させられる。この視準ミラーは、互いに９０度の角度で方向付けた２つの更なる偏向ミラー５および６により放物線状ミラーの形態をなしている。この放物線状ミラー７から反射された平行な光ビームＰは、２つの偏向ミラー５および６を介してビームスプリッター(beam splitter)８に到達する。このビームスプリッターは第１回折格子として形成され、これは好ましくは位相格子である。ビームスプリッター８は測定装置に垂直方向で配置され、平行な光ビームＰは前記回折格子に垂直方向で衝突する。第２回折格子の形態をとるビームコレクタ１０は、前記第１回折格子から所定距離離間し、かつこれに対して平行に配置されている。ビームコレクタ１０の後ろには、２つの非視準レンズ(decollimation lenses)１１が同じレベルで配置され、これらの非視準レンズを経たビームは、偏向ミラー(deviation mirrors)１２,１３,１４および光学映像システム１５を介して２つのＣＣＤカメラ１６に夫々偏向させられ、かつ合焦させられる。
前記ビームスプリッター８は、光学軸に対し横方向に支持され、前記回折格子を変位させて平行な光ビームＰの位相を移動させるための圧電付勢素子１７を更に含んでいる。
例えば支持ポストの形態をした保持装置５０は、第１回折格子および第２回折格子の間の中央に配設されている。測定されるウェハー９は前記保持装置５０に保持され、これにより該ウェハーの両平坦表面９０,９１は光ビームＰと平行な垂直方向に配置されている。前記ウェハー９は、実質的にその垂直縁９２だけで支持ポストに支持され、従って両方の表面９０,９１は支持ポストに実質的に接触せず、また干渉測定計(interferometric measurement)に自由に接近可能となっている。
更に受容装置(２５,５０)が、測定されるべきウェハー９のために配設されている。このウェハーは、前記受容装置中に水平位置で挿入可能となっている。傾斜装置２６により、該ウェハー９はその水平位置から垂直測定位置に傾斜させることができる。そして前記ウェハー９は、位置決め可能な走行体によって、第１回折格子および第２回折格子の間の光経路中に移動させられ、従って被測定表面９０,９１は非回折光ビームＰに対し実質的に平行で、かつ実質的に垂直な方向に整列させられる。
更に参照装置２０が配設され、これは少なくとも１つの平坦表面２４を有する参照体２１を含んでいる。前記参照体２１は、第１回折格子８および第２回折格子１０の間の光経路へ、測定されるべき半導体ウェハー９の代わりに、直線案内部材１８を備えた走行体２３によって導入可能になっている。前記参照体２１は、その平坦表面２４が非回折光ビームＰに対し平行な垂直方向に配置されるよう支持される。該参照体２１は、その表面２４と平行な軸の周りをその架台ごと１８０度だけ回転させることができる。
殊に図３に示す如く、測定装置は、ＣＣＤカメラによって得られた干渉パターンを処理する該ＣＣＤカメラの出力部に接続した電子デバイス３０を更に含んでいる。映像処理装置３０は、評価処理装置(evaluating processor)４０に更に接続されている。該評価処理装置４０は、圧電駆動部材１７０を介して位相シフタ(phase shifter)１７に更に接続されている。データ出力用のプリンタ４５およびビデオモニタ４６は、前記評価処理装置４０に接続されている。この評価処理装置４０は、主制御ユニット６０に更に接続され、該ユニットは次いでホストコンピュータ６５、操作端末６６およびＳＰＣ(蓄積プログラム制御部)並びに位置決め制御部の出力部に接続されている。該ＳＰＣおよび位置決め制御部の入力部は、測定されるべき半導体ウェハーまたは参照体の夫々或いは装置の他の機械的部分を移動させるための走行体のモータ６９用の電力電子機器(power electronics)６８に夫々接続されている。前記ＳＰＣおよび位置決め制御部６７の更に別の入力部は、前記夫々の走行体および傾斜装置用のセンサ部材７０に接続されている。
操作に際し測定されるべきウェハー９は、先ずウェハー受容装置２５に挿入される。ウェハー９の被測定表面９０,９１は水平に配置される。前記傾斜装置および走行体１９によって、測定されるべきウェハーは保持装置５０へ到来させられ、ここで被測定表面９０,９１が垂直になるよう配置される。前記ビームスプリッターの第１回折格子８に衝突する平行な光ビームＰの回折は部分的な光ビームＡ,Ｂを作り出し、これにより正の回折角度を有する部分的な光ビームＡは前記ウェハーの一方の表面９０に衝突し、そこで反射される。しかるに負の回折角度を有する部分的な光ビームＢは、該ウェハーの他方の表面９１に衝突し、そこで反射される。零の回折次数(O-th diffraction order)の平行な光ビームＰは第１回折格子８と通り抜け、ウェハー９の表面９０,９１では反射されない。この部分的な光ビームＰは、前記ビームＡおよびＢの反射された波先(wave front)と干渉する参照ビームとして役立つ。第２回折格子１０、すなわちビームコレクタでは、反射された部分的な光ビームＡおよびＢは夫々に零の回折次数の参照ビームＰと再び結合され、２つの部分的な光ビームＡ＋ＰおよびＢ＋Ｐの形態で、夫々非視準レンズ１１および偏向ミラー１２,１３,１４並びに正のレンズ１５を通って前記ＣＣＤカメラ１６の焦点面(focal planes)上に焦点が合わされる。
表面が露光している間に、平行な光ビームＰの位相は、回折格子を変位させることによって、夫々９０度および１２０度だけ反復的にシフトさせられる。これにより位相がシフトした干渉パターンを作り出す。前記ＣＣＤカメラ１６の出力データは映像処理装置３０に供給され、該装置は該ＣＣＤカメラ１６の個々の干渉パターンに基づく夫々の測定した表面９０,９１のためのデジタル化された位相パターン１６０を作るものである。このデジタル化された位相パターン１６０は、前記評価処理装置４０で更に処理され、ビデオモニタ４６に映し出される。前記位相シフタ１７により得られる干渉位相の限定されたシフトは、測定した表面９０および９１に突起(protuberance)または凹み(depression)があるか否かを決定するべく評価される。測定した表面９０および９１の平行度を決定するために、２つのデジタル化された位相パターンが互いに控除(subtracted)される。更に位相パターンのマスクが評価処理装置で生成され、また該評価処理装置において位相パターンは較正され、パラメータ化され、かつ蓄積される。生成されたグラフィクスと表は、プリンタ４５を経て出力することができる。
参照体２１を使用する較正は、ウェハー９を夫々測定する前に行なうことができる。前記参照体２１は、第１回折格子８と第２回折格子１０の間の光経路中に導入され、既知の平坦表面２４が測定される。続いて参照体２１は１８０度だけ回転させられ、その同じ表面２４が第２の表面として測定される。
この測定装置および測定方法の改変が可能である。２つの正確に平坦でかつ平行な表面を有する本体が、参照体２１のために使用することができ、これにより両方の表面は同時に測定される。しかしながら、参照体における単一の平坦表面を有する実施例がより好適である。
【図１】
0003682610.tif 000002
【図２】
0003682610.tif 000003
【図３】
0003682610.tif 000004